(57)【要約】【課題】被研磨面に研磨液を供給しながら被研磨面を円滑に研磨する。【解決手段】手動式研磨具１０は、研磨作業時に作業者により把持されるハンドパッド１１を有し、ハンドパッド１１の研磨側面１２には、研磨フィルム２１が装着される。ハンドパッド１１の内部には、研磨液を吸収し弾性変形自在の吸水スポンジ２３が組み込まれる。操作ノブ２８を押し込んで、吸水スポンジを収縮変形させると、研磨液が被研磨面に押し出される。【選択図】図２
2017007055.tif 000002
【特許請求の範囲】
【請求項１】
研磨作業時に作業者により把持され、被研磨面を研磨する研磨フィルムが装着されるハンドパッドと、
前記ハンドパッド内に形成された収容室内に組み込まれ、研磨液を吸収し弾性変形自在の吸水スポンジと、
前記ハンドパッドに操作移動自在に装着され、押し込まれると前記吸水スポンジを収縮変形させて研磨液を被研磨面に押し出す操作ノブと、
を有する手動式研磨具。
【請求項２】
請求項１記載の手動式研磨具において、前記ハンドパッドは、前記研磨フィルムが装着される研磨側面と、前記研磨側面に対して反対側に設けられ、前記操作ノブが前記吸水スポンジの弾性力により突出する操作側面と、作業者により把持される把持面とを有する、手動式研磨具。
【請求項３】
請求項２記載の手動式研磨具において、前記ハンドパッドの外周面に開口する研磨液噴出口に連通し前記吸水スポンジに吸収された研磨液を被研磨面に案内する研磨液案内孔を前記ハンドパッドに形成した、手動式研磨具。
【請求項４】
請求項２記載の手動式研磨具において、前記研磨側面に開口し前記吸水スポンジに吸収された研磨液を被研磨面に案内する研磨液案内孔を前記ハンドパッドに形成し、前記研磨液案内孔に対応させて前記研磨フィルムに研磨液噴出口を設けた、手動式研磨具。
【請求項５】
請求項２記載の手動式研磨具において、前記研磨フィルムは網目状の基部を有する通液性の研磨フィルムであり、前記吸水スポンジから押し出された研磨液を通液性の研磨フィルムを透過させて被研磨面に供給する、手動式研磨具。
【請求項６】
請求項３または４記載の手動式研磨具において、前記吸水スポンジが露出する研磨液噴出口を前記研磨フィルムの中央部に形成した、手動式研磨具。
【請求項７】
請求項２記載の手動式研磨具において、前記操作ノブにより収縮変形される第１の吸水スポンジを収容する大形の収容室と、前記第１の吸水スポンジを介して前記操作ノブにより収縮変形される第２の吸水スポンジを収容する小形の収容室とを前記ハンドパッド内に形成し、前記第１の吸水スポンジから押し出された研磨液を被研磨面に供給する研磨液案内孔を前記大形の収容室と前記研磨側面との間に設けた、手動式研磨具。
【発明の詳細な説明】
【技術分野】
【０００１】
本発明は、手作業により被研磨面に水、研磨砥粒入りの薬剤、保護剤を供給しながら被研磨面を研磨するための手動式研磨具に関する。
【背景技術】
【０００２】
例えば、自動車車体を補修する際には、端的に[1]損傷部分の旧塗膜剥離、[2]段落とし（剥離した塗膜と旧塗膜の段差を滑らかにする）、[3]防錆処理、[4]パテ付け、[5]乾燥、[6]パテ研磨、[7]プライマーサフェーサー塗装（補修塗膜表面の平滑化、上塗塗料の密着性向上のための塗装）、[8]乾燥、[9] プライマーサフェーサー研磨、[10]上塗、[11]磨き・艶出し、という工程がある。
【０００３】
このうち、[6]パテ研磨や[9] プライマーサフェーサー研磨、または上塗りの状態によっては、[11]磨き・艶出しの前段階で研磨の工程が入る。その際の研磨は、電動工具、または空気動工具／パッド下部の面ファスナーＡ面に面ファスナーＢ面付きの研磨布紙、研磨フィルムを装着して行う「機械研ぎ」と、機械を使用せず手動で当て木やゴム製のブロックなどの研磨パッドに研磨布紙などの研磨フィルムを貼り付けて行う「手研ぎ」とがある。
【０００４】
また、研磨には、被研磨面に潤滑剤として水を補給しながら研磨する「水研ぎ」と水を使用せずドライな状態で研磨する「空研ぎ」とがある。手動による「水研ぎ」の場合、霧吹きなどで水を被研磨面に供給しながら、耐水ペーパーなど水研ぎ専用研磨布紙などからなる研磨フィルムを研磨パッドに貼り付けて研磨する。研磨フィルムはバフとも言われる。
【０００５】
研磨パッドを手動操作する手研ぎ作業としては、上述のように、自動車車体を補修する際の被研磨面を平坦に仕上げるための研磨作業のみならず、自動車ガラスに撥水剤を塗布する作業、自動車塗装面の水アカ取りを行う作業、塗装面に刺さった鉄粉を除去する作業、および塗装面に保護剤を展延する作業等もあり、これらの作業は広義の研磨作業である。
【０００６】
特許文献１には、電動モータを駆動源とした機械研磨用の研磨装置が記載されている。特許文献２には、基材フィルム、研磨粒子と結合剤とからなる研磨層を有する研磨フィルムが記載され、特許文献３には、バインダー樹脂と研磨粒子とからなる研磨層を有する研磨フィルムが記載されている。
【先行技術文献】
【特許文献】
【０００７】
【特許文献１】特開２０００−１５５７８号公報
【特許文献２】特開２０１１−９８４１４号公報
【特許文献３】特開２０１０−１４９２５６号公報
【発明の概要】
【発明が解決しようとする課題】
【０００８】
手動による「水研ぎ」は、水を被研磨面に付着させて研磨布紙などを研磨パッド下部／面ファスナーに係合させて行われており、水を被研磨面に供給する操作と被研磨面を研磨パッドで研磨する操作が繰り返される。通常は、片手に霧吹きなどの水を供給できるものを持ち、もう一方の片手に研磨フィルムを持って手動で研磨作業を行う。
【０００９】
また、上記の手動による自動車の下地の研磨のみならず、研磨パッド下部／面ファスナーに、用途に則したバフを係合させて、手動にてバフで自動車塗膜の水あか取り、磨き・艶出し、保護剤の展延や自動車ガラス研磨や撥水剤塗布を行う。この場合、液状や乳液状の研磨剤や保護剤、撥水剤をバフに付着させるか、または被研磨物に供給しながら行う。
【００１０】
本発明の目的は、水または研磨剤などの薬剤を被研磨面に水や研磨剤などの薬剤を含む薬液等の研磨液を供給しながら、被研磨面を円滑に研磨することができるようにすることにある。
【課題を解決するための手段】
【００１１】
本発明の手動研磨具は、研磨作業時に作業者により把持され、被研磨面を研磨する研磨フィルムが装着されるハンドパッドと、前記ハンドパッド内に形成された収容室内に組み込まれ、研磨液を吸収し弾性変形自在の吸水スポンジと、前記ハンドパッドに操作移動自在に装着され、押し込まれると前記吸水スポンジを収縮変形させて研磨液を被研磨面に押し出す操作ノブと、を有する。
【発明の効果】
【００１２】
ハンドパッドの内部には、研磨液を吸収し弾性変形自在の吸水スポンジが組み込まれているので、操作ノブを押し込み操作すると、吸水スポンジに吸収されていた研磨液が被研磨面に押し出される。したがって、吸水スポンジに吸収されている研磨液を被研磨面に供給しながら、研磨作業を行うことができる。これにより、被研磨面を円滑に研磨することができ、研磨作業性を向上させることができる。
【図面の簡単な説明】
【００１３】
【図１】一実施の形態である手動式研磨具の外観を示す斜視図であり、（Ａ）は上面側を示し、（Ｂ）は底面側を示す。
【図２】図１の縦断面図であり、（Ａ）は操作ノブを押し込む前の状態を示し、（Ｂ）は操作ノブを押し込んだ状態を示す。
【図３】他の実施の形態である手動式研磨具の外観を示す斜視図であり、（Ａ）は上面側を示し、（Ｂ）は底面側を示す。
【図４】図３の縦断面図であり、（Ａ）は操作ノブを押し込む前の状態を示し、（Ｂ）は操作ノブを押し込んだ状態を示す。
【図５】さらに他の実施の形態である手動式研磨具の外観を示す斜視図である。
【図６】図５の底面図である。
【図７】図５の縦断面図であり、（Ａ）は操作ノブを押し込む前の状態を示し、（Ｂ）は操作ノブを押し込んだ状態を示す。
【図８】さらに他の実施の形態である手動式研磨具を示す断面図である。
【図９】図８の底面図である。
【図１０】さらに他の実施の形態である手動式研磨具の外観を示す斜視図である。
【図１１】図７の縦断面図であり、（Ａ）は操作ノブを押し込む前の状態を示し、（Ｂ）は操作ノブを押し込んだ状態を示す。
【発明を実施するための形態】
【００１４】
以下、本発明の実施の形態を図面に基づいて詳細に説明する。それぞれの図面においては、共通する部材には同一の符号が付されている。
【００１５】
図１および図２に示す手動式研磨具１０は、研磨作業時に作業者により把持されるハンドパッド１１を有し、ハンドパッド１１は、図１に示されるように、外周面が円形となっている。図２に示されるように、ハンドパッド１１は、研磨側面１２が設けられた研磨側部１１ａと、操作側面１３が設けられた操作側部１１ｂとを有し、研磨側部１１ａと操作側部１１ｂはそれぞれ樹脂により成形されている。図２において研磨側面１２は下側となっており、操作側面１３は反対側の上側となっている。ハンドパッド１１は、研磨側部１１ａの接合面１４と操作側部１１ｂの接合面１５とを接着することにより一体に形成される。ただし、研磨側部１１ａと操作側部１１ｂとを一体に成形するようにしても良い。ハンドパッド１１の円形の外周面は、作業者により把持される把持面１６となっている。
【００１６】
研磨側面１２には研磨フィルム２１が装着される。研磨フィルム２１としては、研磨布紙や樹脂製の研磨シートなどを含み、研磨バフとも言われる。研磨フィルム２１は、基部層とその表面に設けられた研磨層とを有し、基部層の部分で研磨側面１２に装着される。研磨フィルム２１の装着形態としては、研磨フィルム２１を研磨側面１２に接着剤により装着する形態と、面ファスナーにより取り外し自在に装着する形態とがある。取り外し自在の研磨フィルム２１を使用すると、用途に合わせた研磨フィルム２１を装着して研磨作業を行うことができる。
【００１７】
ハンドパッド１１の研磨側部１１ａには収容室２２が形成される。収容室２２の接合面１４の部分は操作側部１１ｂにより閉じられ、反対側の部分は研磨フィルム２１により閉じられる。収容室２２には、吸水スポンジ２３が収容され、吸水スポンジ２３は弾性変形自在であり、水等の研磨液を吸収する。
【００１８】
ハンドパッド１１の研磨側部１１ａには、一端が収容室２２に開口する研磨液案内孔２４が形成され、研磨液案内孔２４の他端は、研磨側部１１ａの外周面に設けられた研磨液噴出口２５に連通している。研磨液噴出口２５は、図１（Ｂ）に示されるように、研磨側面１２に寄せて、３つ設けられている。ただし、研磨液噴出口２５の数は３つに限られることはなく、任意の数とすることができる。
【００１９】
ハンドパッド１１の操作側部１１ｂには操作孔２７が設けられている。この操作孔２７は一端が操作側面１３に開口し、他端が接合面１５に開口している。吸水スポンジ２３に吸収された研磨液を外部に押し出すために、操作孔２７には操作ノブ２８が操作移動自在に装着される。操作ノブ２８の先端部は操作側面１３から突出し、内方端面にはストッパ２９が固定されており、ストッパ２９は吸水スポンジ２３に接触する。
【００２０】
研磨側部１１ａには、研磨液噴出口２５に対して円周方向にずらして研磨液注入孔３１が設けられている。この研磨液注入孔３１には封止栓３２が着脱自在に装着される。封止栓３２は研磨液注入孔３１に嵌合する本体部３２ａと、これと一体となってハンドパッド１１の外周面に当接する蓋部３２ｂとを有している。封止栓３２を取り外した状態のもとで、収容室２２内に水等の研磨液を注入することができる。研磨液を注入した後は、封止栓３２が研磨液注入孔３１に装着される。
【００２１】
図２（Ａ）は吸水スポンジ２３が膨張した状態を示しており、この状態のもとでは、操作ノブ２８は操作側面１３から突出する。一方、図２（Ｂ）は操作ノブ２８が押し込まれた状態を示す。この状態のもとでは、ストッパ２９が押し込まれて、吸水スポンジ２３は収縮する。
【００２２】
吸水スポンジ２３に研磨液を含ませるとき、つまり吸収させるときには、図２（Ｂ）に示されるように、操作ノブ２８を押し込んで吸水スポンジ２３を収縮させた状態のもとで、研磨液注入孔３１から研磨液を吸水スポンジ２３に供給することができる。このときには、研磨液を注入しながら操作ノブ２８を戻す。さらに、操作ノブ２８を押し込んで吸水スポンジ２３を収縮させ、研磨液噴出口２５を容器内に収容された研磨液に浸した状態のもとで、操作ノブ２８から手を離すと、吸水スポンジ２３は弾性力により膨張し、研磨液を吸水スポンジ２３に供給することができる。このときには、封止栓３２を取り外すことなく、吸水スポンジ２３に研磨液を注入することができる。
【００２３】
ハンドパッド１１を使用して被研磨面を研磨するには、片手でハンドパッド１１の把持面１６を把持つまり保持して、研磨フィルム２１を被研磨面に押し付けて、被研磨面を研磨する。このときには、指で操作ノブ２８を押し込むと、操作ノブ２８により吸水スポンジ２３が収縮する。これにより、吸水スポンジ２３に含まれている研磨液が、研磨液噴出口２５から被研磨面に塗布される。図２（Ｂ）において、矢印は、被研磨面Ｓに研磨液が塗布されている状態を示す。
【００２４】
吸水スポンジ２３が内蔵されていない従来のハンドパッドにおいては、研磨フィルムに研磨液を付着させる操作と、被研磨面を研磨フィルムにより研磨する操作とを繰り返す必要があるのに対して、このハンドパッド１１を使用すると、吸水スポンジ２３に吸収された研磨液がなくなるまで、連続的に研磨作業を行うことができ、研磨作業の作業性を向上させることができる。しかも、ハンドパッド１１には研磨液を供給するためのホースは設けられていないので、研磨作業を円滑に行うことができる。
【００２５】
この手動式研磨具１０は、研磨液を使用する「水研ぎ」の研磨作業であれば、どのような研磨作業にも適用することができる。例えば、自動車を補修する際における自動車下地の研磨、塗装面の研磨などの他に、ガラスコーティング、および水アカ取りにも適用することができる。
【００２６】
ガラスコーティングを行うときには、吸水スポンジ２３に撥水剤を含ませ、撥水剤を塗布する研磨フィルム２１を研磨側面１２に装着し、被研磨面に撥水剤を塗布しながら研磨フィルム２１によりガラスを処理する。また、水アカ取りを行うときには、研磨砥粒を含有する液状またはクリーム状の薬剤（コンパウンド）を吸水スポンジ２３に含ませて、薬剤を塗布する研磨フィルム２１を研磨側面１２に装着して処理を行う。
【００２７】
さらにこの手動式研磨具１０は、鉄粉取り、および保護剤塗布にも適用することができる。鉄粉取りを行うときには、液体研磨液として水を含ませ、鉄粉取り用の研磨フィルム２１を研磨側面１２に装着して、被研磨面を処理する。また、保護剤塗布を行うには、自動車塗膜に保護剤であるワックス・ポリマーを展延し、吸水スポンジ２３に液状の保護剤を含ませて、ウレタンフォーム等の研磨フィルム２１を研磨側面１２に装着して被研磨面を処理する。
【００２８】
図３は他の実施の形態である手動式研磨具の外観を示す斜視図であり、図３（Ａ）は手動式研磨具の上面側を示し、図３（Ｂ）は手動式研磨具の底面側を示す。図４は図３の縦断面図であり、図４（Ａ）は操作ノブを押し込む前の状態を示し、図４（Ｂ）は操作ノブを押し込んだ状態を示す。
【００２９】
この手動式研磨具１０のハンドパッド１１は、図３に示されるように、全体的に直方体形状である。このハンドパッド１１は、研磨側面１２と操作側面１３とがそれぞれほぼ四辺形となっており、断面四辺形の外周面が把持面１６となっている。外周面のうち長辺側の２面には、操作溝１７が設けられている。
【００３０】
図１および図２に示したハンドパッド１１が研磨側部１１ａと操作側部１１ｂの２つの部材を接合することにより形成されているのに対し、図３および図４に示すハンドパッド１１は、１つの部材により形成されている。ハンドパッド１１の内部には、収容室２２が形成されており、収容室２２は研磨側面１２に開口している。収容室２２は、直方体形状のハンドパッド１１に対応させて直方体形状となっており、研磨側面１２に装着される研磨フィルム２１により収容室２２は閉じられる。
【００３１】
収容室２２内には吸水スポンジ２３が組み込まれる。この吸水スポンジ２３は上述した吸水スポンジ２３と同様に、弾性変形自在であり、研磨液を吸収する。ハンドパッド１１の一端面には、複数の研磨液案内孔２４が形成され、研磨液案内孔２４の一端は収容室２２に連通し、他端は研磨液噴出口２５に連通している。ハンドパッド１１の他端面には研磨液注入孔３１が設けられている。この研磨液注入孔３１には、図１および図２に示した場合と同様に、封止栓３２が着脱自在に装着される。
【００３２】
この形態の手動式研磨具１０においても、図１および図２した場合と同様に、吸水スポンジ２３に研磨液を注入することができる。また、ハンドパッド１１を使用して被研磨面を研磨するには、上述した場合と同様に、片手でハンドパッド１１の把持面１６を把持して、研磨フィルム２１を被研磨面に押し付けて、被研磨面を研磨する。このときには、指で操作ノブ２８を押し込むと、吸水スポンジ２３に含まれている研磨液が研磨液噴出口２５から被研磨面に塗布される。
【００３３】
図５はさらに他の実施の形態である手動式研磨具の外観を示す斜視図である。図６は図５の底面図である。図７は図５の縦断面図であり、図７（Ａ）は操作ノブを押し込む前の状態を示し、図７（Ｂ）は操作ノブを押し込んだ状態を示す。
【００３４】
図５〜図７に示される手動式研磨具１０は、図１および図２に示した手動式研磨具１０と同様に、外周面が円形となったハンドパッド１１を有し、ハンドパッド１１は、研磨側面１２が設けられた研磨側部１１ａと、操作側面１３が設けられた操作側部１１ｂとを有している。把持面１６には、作業者がハンドパッド１１を手に持って研磨操作を行うときに、作業者の指が入り込む操作溝１７が環状に設けられている。
【００３５】
ハンドパッド１１の研磨側部１１ａには、接合面１４の部分に開口部を有する大形の収容室２２ａが形成され、大形の収容室２２ａは操作側部１１ｂにより閉じられる。研磨側部１１ａの中央部には、大形の収容室２２ａよりも径が小さい小形の収容室２２ｂが形成されている。小形の収容室２２ｂは一端が大形の収容室２２ａに開口し、他端が研磨側面１２に開口している。
【００３６】
大形の収容室２２ａには第１の吸水スポンジ２３ａが収容され、小形の収容室２２ｂには第２の吸水スポンジ２３ｂが収容される。それぞれの吸水スポンジ２３ａ，２３ｂは、弾性変形自在であり、研磨液を吸収する。両方の吸水スポンジ２３ａ，２３ｂにより吸水スポンジ２３が形成されている。図示する場合には、両方の吸水スポンジ２３ａ，２３ｂは別部材となっているが、一体型の吸水スポンジとしても良い。
【００３７】
ハンドパッド１１の研磨側部１１ａには、一端が収容室２２ａに開口し、他端が研磨側面１２に開口する複数の研磨液案内孔２４が形成されている。研磨液案内孔２４は、収容室２２ａと研磨側面１２との間に設けられており、図６に示されるように、収容室２２ｂよりも径方向外方に８つ設けられており、それぞれの研磨液案内孔２４はハンドパッド１１の中心部から同一の半径位置の部分に設けられている。
【００３８】
図６に示されるように、収容室２２ｂを外部に露出させる研磨液噴出口２５が研磨フィルム２１に形成され、さらに、研磨液案内孔２４に対応させて８つの研磨液噴出口２６が研磨フィルム２１に形成されている。ハンドパッド１１の操作側部１１ｂには操作孔２７が設けられている。この操作孔２７は一端が操作側面１３に開口し、他端が接合面１５に開口している。吸水スポンジ２３に吸収された研磨液を被研磨面に押し出すために、操作孔２７には操作ノブ２８が操作移動自在に装着される。操作ノブ２８の先端部は操作側面１３から突出し、内方端面にはストッパ２９が固定されており、ストッパ２９は第１の吸水スポンジ２３ａに接触する。
【００３９】
このように、図１〜図４に示した手動式研磨具１０においては、研磨液噴出口２５がハンドパッド１１の外周面に開口して設けられているのに対し、図５〜図７に示した手動式研磨具１０においては、研磨フィルム２１に研磨液噴出口２５が設けられている。
【００４０】
図７（Ａ）は吸水スポンジ２３が膨張した状態を示しており、この状態のもとでは、操作ノブ２８は操作側面１３から吐出する。一方、図７（Ｂ）は操作ノブ２８が押し込まれた状態を示す。この状態のもとでは、ストッパ２９が押し込まれて、吸水スポンジ２３は収縮変形する。吸水スポンジ２３に研磨液を含ませるとき、つまり吸収させるときには、収容室２２ｂと研磨液案内孔２４を、容器内に収容された研磨液に浸す。この状態のもとで、操作ノブ２８を押し込んだ後に、操作ノブ２８の押し込みを解除すると、吸水スポンジ２３は弾性力により膨張しながら研磨液を吸引する。これにより、吸水スポンジ２３には研磨液が吸収される。
【００４１】
ハンドパッド１１を使用して被研磨面を研磨するには、片手でハンドパッド１１の把持面１６を把持つまり強く保持して、研磨フィルム２１を被研磨面に押し付けて、被研磨面を研磨する。このときには、指で操作ノブ２８を押し込むと、操作ノブ２８により第１の吸水スポンジ２３ａが収縮し、第１の吸水スポンジ２３ａを介して操作ノブ２８により第２の吸水スポンジ２３ｂが収縮する。これにより、両方の吸水スポンジ２３ａ，２３ｂからなる吸水スポンジ２３に含まれている研磨液が、研磨フィルム２１に設けられた研磨液噴出口２５，２６から被研磨面に塗布される。図７（Ｂ）において、矢印は、被研磨面Ｓに研磨液が塗布されている状態を示す。研磨フィルム２１の中央部に設けられた研磨液噴出口２５は、研磨フィルム２１の外周部側に設けられた他の研磨液噴出口２６よりも径が大きいので、研磨フィルム２１の中央部分からは外周部側よりも多量の研磨液が吐出される。
【００４２】
図１〜図７に示した研磨フィルム２１は、基部層とその表面に設けられた研磨層とを有するタイプのものであり、基部層は通液性を有していない。このため、吸水スポンジ２３に含まれている研磨液を被研磨面に供給するために、図１〜図４に示した手動式研磨具１０においては、ハンドパッド１１の外周面に研磨液噴出口２５を設け、図５〜図７に示した手動式研磨具１０においては、研磨フィルム２１に研磨液噴出口２５，２６が設けられている。
【００４３】
これに対し、研磨フィルム２１を網目状つまりメッシュ状の基部と、その表面に設けられた研磨層とを有する通液性のものとすると、研磨フィルム２１には上述した研磨液噴出口２５，２６を設けることなく、研磨液を被研磨面に供給することができる。ただし、通液性の研磨フィルム２１を使用するとともに、研磨フィルム２１に研磨液噴出口２５，２６を設けるようにしても良い。
【００４４】
図８は他の実施の形態である手動式研磨具を示す断面図であり、図９は図８の底面図である。図８および図９に示される手動式研磨具１０においては、上述のように、網目状つまりメッシュ状の基部と、その表面に設けられた研磨層とを有する研磨フィルム２１が研磨側面１２に装着されている。
【００４５】
この手動式研磨具１０においては、操作ノブ２８を押し込むと、吸水スポンジ２３に吸収されている研磨液は通液性を有する研磨フィルム２１を透過して被研磨面に塗布される。この手動式研磨具１０においても、研磨フィルム２１の中心部には研磨液案内孔２４よりも大径の収容室２２ｂが対向しているので、研磨フィルム２１の中心部には外周部よりも多量の研磨液が透過して被研磨面に塗布される。
【００４６】
図１０は、他の実施の形態である手動式研磨具の外観を示す斜視図である。図１１（Ａ）は図１０の縦断面図であり、図１１（Ｂ）は操作ノブを押し込んだ状態における図１０の縦断面図である。
【００４７】
この手動式研磨具１０のハンドパッド１１は、図３および図４に示した場合と同様に、全体的に直方体形状であり、ハンドパッド１１は１つの部材により形成されている。ハンドパッド１１の内部には、収容室２２が形成されており、収容室２２は研磨側面１２に開口している。収容室２２は、直方体形状のハンドパッド１１に対応させて直方体形状となっており、研磨側面１２に装着される研磨フィルム２１により収容室２２は閉じられる。
【００４８】
収容室２２内には吸水スポンジ２３が組み込まれる。この吸水スポンジ２３は上述した吸水スポンジ２３と同様に、弾性変形自在であり、研磨液を吸収する。研磨フィルム２１の中央部には吸水スポンジ２３を露出させる研磨液噴出口２５が設けられている。
【００４９】
この形態の手動式研磨具１０においても、図１１（Ｂ）に示されるように、操作ノブ２８を押し込んで吸水スポンジ２３を収縮変形させ、研磨液に研磨フィルム２１を浸した状態のもとで、操作ノブ２８の押し込みを解除すると、吸水スポンジ２３の弾性力により吸水スポンジ２３は膨張しながら研磨液を吸引する。これにより、吸水スポンジ２３には研磨液が吸収される。
【００５０】
ハンドパッド１１を使用して被研磨面を研磨するには、片手でハンドパッド１１の把持面１６を把持して、研磨フィルム２１を被研磨面に押し付けて、被研磨面を研磨する。このときには、指で操作ノブ２８を押し込むと、吸水スポンジ２３に含まれている研磨液が研磨フィルム２１に設けられた研磨液噴出口２５から被研磨面に塗布される。図１１（Ｂ）において、矢印は、被研磨面Ｓに研磨液が塗布されている状態を示す。研磨液噴出口２５は、研磨フィルム２１の中央部に設けられているので、研磨液は研磨フィルム２１の全体に分散される。
【００５１】
図１０および図１１に示した手動式研磨具１０においても、研磨フィルム２１を網目状つまりメッシュ状の基部と、その表面に設けられた研磨層とを有する通液性のものとすることができる。その場合には、研磨フィルム２１には研磨液噴出口２５を設けることなく、研磨液を被研磨面に供給することができる。また、この手動式研磨具１０においても、上述した研磨作業を行うことができる。
【００５２】
本発明は前記実施の形態に限定されるものではなく、その要旨を逸脱しない範囲で種々変更可能である。例えば、ハンドパッド１１の形状は、図１に示す円柱形状、および図７に示す直方体形状に限られることなく、手に持って研磨作業を行うことができる形状であれば、種々の形状とすることができる。
【符号の説明】
【００５３】
１０    手動式研磨具
１１    ハンドパッド
１１ａ    研磨側部
１１ｂ    操作側部
１２    研磨側面
１３    操作側面
１４    接合面
１５    接合面
１６    把持面
１７    操作溝
２１    研磨フィルム
２２    収容室
２３    吸水スポンジ
２３ａ    第１の吸水スポンジ
２３ｂ    第２の吸水スポンジ
２４    研磨液案内孔
２５，２６    研磨液噴出口
２７    操作孔
２８    操作ノブ
２９    ストッパ
３１    研磨液注入孔
３２    封止栓
【図１】
2017007055.tif 000003
【図２】
2017007055.tif 000004
【図３】
2017007055.tif 000005
【図４】
2017007055.tif 000006
【図５】
2017007055.tif 000007
【図６】
2017007055.tif 000008
【図７】
2017007055.tif 000009
【図８】
2017007055.tif 000010
【図９】
2017007055.tif 000011
【図１０】
2017007055.tif 000012
【図１１】
2017007055.tif 000013